(57)【特許請求の範囲】
【請求項１】
放射線源の３次元分布画像処理システムであって、
放射線源を測定するための多数の位置敏感型検出器を備え、位置敏感型検出器の各々に固有チャンネルを設定した後、前記放射線源を中心に前記多数の位置敏感型検出器を円形に配置した画像測定部であって、前記多数の位置敏感型検出器のうちの少なくとも１つがガンマ線を検出し、前記画像測定部は、検出したガンマ線に基づいて放射線源エネルギーの大きさ及び放射線源発生位置を判定する、前記画像測定部と、
前記画像測定部から前記放射線源エネルギーの大きさを示す信号及び前記放射線源発生位置を示す信号をそれぞれ受信し、これら信号を電気信号に変換して増幅させる信号増幅処理部と、
前記生成された前記電気信号を前記信号増幅処理部から受信し、前記放射線源エネルギーの大きさ及び放射線源発生位置に応じて検出モードを選択し、選択した検出モードを示すモード信号を出力するモード選択部であって、前記検出モードは、同時計数モード、二重ガンマ線単一追跡モード、同時計数方式／ガンマ線追跡モード、二重ガンマ線同時追跡モードを含む、前記モード選択部と、
前記信号増幅処理部から前記放射線源エネルギーの大きさを示す信号、発生時間を示す信号及び前記放射線源発生位置を示す信号、前記モード選択部から送信されたモード信号を一連の項目に応じて保存するデータ保存部と、
前記データ保存部に保存されたデータを同時計数方式、二重ガンマ線単一追跡方式、同時計数方式／ガンマ線追跡方式、二重ガンマ線同時追跡方式のうちのいずれか一つの方式に相応するデータに変換するデータ変換部と、
前記変換されたデータを３次元分布画像に再構成する画像再構成部と、
前記再構成部からの前記３次元分布画像をディスプレイするディスプレイ部と
を備える放射線源の３次元分布画像処理システム。
【請求項２】
前記画像測定部が、Ｎ×Ｍの大きさ（Ｎ、Ｍは自然数）を有する複数の前記位置敏感型検出器で構成され、前記複数の位置敏感型検出器の各々は、互いに異なるチャンネルを用いて前記放射線源位置、到達時間及び前記放射線源エネルギーの大きさを検出することを特徴とする、請求項１に記載の放射線源の３次元分布画像処理システム。
【請求項３】
前記複数の位置敏感型検出器の各々が、任意の形状に形成され、且つ横の長さ及び縦の長さの大きさがＫである複数の信号電極で構成されることを特徴とする、請求項２に記載の放射線源の３次元分布画像処理システム。
【請求項４】
前記モード選択部が、各チャンネルによって送信された前記電気信号を同時計数方式で分類することを特徴とする、請求項１に記載の放射線源の３次元分布画像処理システム。
【請求項５】
前記モード選択部が、各チャンネルによって送信された前記電気信号を二重ガンマ線単一追跡方式で分類することを特徴とする、請求項１に記載の放射線源の３次元分布画像処理システム。
【請求項６】
前記モード選択部が、各チャンネルによって送信された前記電気信号を同時計数方式／ガンマ線追跡方式で分類することを特徴とする、請求項１に記載の放射線源の３次元分布画像処理システム。
【請求項７】
前記モード選択部が、各チャンネルによって送信された前記電気信号を二重ガンマ線同時追跡方式で分類することを特徴とする、請求項１に記載の放射線源の３次元分布画像処理システム。
【請求項８】
前記モード選択部が、各チャンネルによって送信された前記電気信号に同時計数方式、二重ガンマ線単一追跡方式、同時計数方式／ガンマ線追跡方式及び二重ガンマ線同時追跡方式を同時に適用することを特徴とする、請求項１に記載の放射線源の３次元分布画像処理システム。
【請求項９】
放射線源の３次元分布画像処理システムであって、
放射線源を測定するための多数の位置敏感型検出器を備え、位置敏感型検出器の各々に固有チャンネルを設定した後、前記放射線源を中心に前記多数の位置敏感型検出器を円形に配置した画像測定部であって、前記多数の位置敏感型検出器のうちの少なくとも１つがガンマ線を検出し、前記画像測定部は、検出したガンマ線に基づいて放射線源エネルギーの大きさ及び放射線源発生位置を判定する、前記画像測定部と、
前記画像測定部から放射線源エネルギーの大きさを示す信号及び放射線源発生位置を示す信号をそれぞれ受信し、これら信号を電気信号に変換して増幅する信号増幅処理部と、
前記信号増幅処理部からの生成された前記電気信号を受信し、前記放射線源エネルギーの大きさ及び前記放射線源発生位置に応じて同時計数方式、二重ガンマ線単一追跡方式、同時計数方式／ガンマ線追跡方式及び二重ガンマ線同時追跡方式で分類し、分類した方式を示すモード信号を出力するモード選択部と、
前記信号増幅処理部からの前記放射線源エネルギーの大きさを示す及び前記放射線源発生位置を示す信号、前記モード選択部からの前記モード信号を一連の項目に応じて保存するデータ保存部と、
前記データ保存部に保存されたデータを同時計数方式、二重ガンマ線単一追跡方式、同時計数方式／ガンマ線追跡方式、二重ガンマ線同時追跡方式のうちのいずれか一つの方式に相応するデータに変換するデータ変換部と、
前記変換されたデータを３次元分布画像に再構成する画像再構成部と、
前記再構成部からの前記３次元分布画像をディスプレイするディスプレイ部と
を備える放射線源の３次元分布画像処理システム。
【請求項１０】
放射線源の３次元分布画像処理方法であって、
放射線源を測定するための多数の位置敏感型検出器の各々に固有チャンネルを設定した後、前記放射線源を中心に前記多数の位置敏感型検出器を円形に配置した画像測定部によってガンマ線を測定する第１工程であって、前記多数の位置敏感型検出器のうちの少なくとも１つによってガンマ線を検出し、前記画像測定部によって、検出したガンマ線に基づいて放射線源エネルギーの大きさ及び放射線源発生位置を判定する、前記第１工程と、
信号増幅処理部によって、前記画像測定部から放射線源エネルギーの大きさを示す信号、到達時間を示す信号及び放射線源発生位置を示す信号をそれぞれ受信し、これら信号を増幅する第２工程と、
モード選択部によって、増幅された前記画像測定部から放射線源エネルギーの大きさを示す信号、到達時間を示す信号及び放射線源発生位置を示す信号を前記信号増幅処理部から受信し、前記放射線源エネルギーの大きさ及び放射線源発生位置に応じて検出モードを選択し、選択した検出モードを示すモード信号を出力する第３工程であって、前記検出モードは、同時計数モード、二重ガンマ線単一追跡モード、同時計数方式／ガンマ線追跡モード、および二重ガンマ線同時追跡モードを含む、第３工程と、
前記信号増幅処理部から前記放射線源エネルギーの大きさを示す信号、到達時間を示す信号及び前記放射線源発生位置を示す信号、前記モード選択部から送信されたモード信号を一連の項目に応じてデータ保存部に保存する第４工程と、
データ変換部によって、前記信号増幅処理部から受信した前記放射線源エネルギーの大きさを示す信号、前記到達時間を示す信号及び前記放射線源発生位置を示す信号、前記モード選択部から送信されたモード信号を、同時計数方式、二重ガンマ線単一追跡方式、同時計数方式／ガンマ線追跡方式、二重ガンマ線同時追跡方式のうちのいずれか一つの方式に相応するデータに変換する第５工程と、
画像再構成部によって、前記変換されたデータを３次元分布画像に再構成する第６工程と、
前記画像再構成部から受信した前記３次元分布画像をディスプレイ部でディスプレイする第７工程と
を備える放射線源の３次元分布画像処理方法。
【発明の詳細な説明】
【技術分野】
【０００１】
本発明は、放射線画像装置に関し、より詳細には、放射線源の３次元分布画像を得るために向上させた計測効率と画像解像度を有する放射線源の３次元分布画像処理方法及びそれを用いたシステムに関するものである。
【背景技術】
【０００２】
本発明は、生物内に存在する放射線源の３次元分布画像を得るための位置敏感型検出器に基づく画像装置に関するものである。既存の放射線画像装置の代表として、ＳＰＥＣＴとＰＥＴがある。ＳＰＥＣＴは、鉛やタングステン等の材質で製作された機械的集束器を用いて放射線源の画像を得る。
【０００３】
この場合、ガンマ線検出効率と画像解像度は、集束器の孔の大きさに対して反比例する依存性を有する。
すなわち、検出効率を高めると画像解像度は悪くなり、画像解像度を良くすると計測効率が落ちる。そして、機械的集束器を用いる場合には、物理的に大きいという短所と、ＳＰＥＣＴ画像装置を回転させることによってはじめて３次元画像を得ることができるという短所がある。
【０００４】
そして、ＰＥＴは、放射線源から発生する５１１ＫｅＶのガンマ線を同時計数して物体内部に分布する放射線源の画像を獲得する。ＰＥＴは、検出器を円形に配置するためにＳＰＥＣＴのように回転させなくても良い。しかしながら、ＰＥＴによって用いられるガンマ線のエネルギーが大きいため、光電効果によって検出器にガンマ線の全体エネルギーが吸収されるよりもガンマ線がコンプトン散乱する可能性が高い。
【０００５】
それで、各検出器内部においてガンマ線が多重散乱形状を有するため、多くのチャンネルによってガンマ線が同時測定される。そして、放射線源が常に画像装置中心に存在しないため、ガンマ線が検出器の入射面のみならず側面にも入射し得る。
【０００６】
このような現象は、測定位置の不確定性を誘発させ、ＰＥＴなどの画像装置で画像を不明確にさせる背景要因として作用する。なお、既存のＰＥＴなどの画像装置では最大で得ることができる画像解像度が数ｍｍ程度である。
【先行技術文献】
【特許文献】
【０００７】
【特許文献１】韓国特許出願公開第１０−０９４８４６１号明細書
【特許文献２】加国特許出願公開第２２３０４７０号明細書
【発明の概要】
【発明が解決しようとする課題】
【０００８】
本発明が解決しようとする課題は、既存の放射線画像装置が有する構造的問題に起因して生じる計測効率の制限と画像解像度の制限を、ガンマ線と計測器が相互作用するすべての方式を用いて解決することができる放射線源の３次元分布画像処理方法及びそれを用いたシステムを提供することである。
【課題を解決するための手段】
【０００９】
前記課題を解決するための本発明の実施例による放射線源の３次元分布画像処理システムは、放射線源を測定するための多数の位置敏感型検出器を備え、位置敏感型検出器の各々に固有チャンネルを設定した後、前記放射線源を中心に前記多数の位置敏感型検出器を円形に配置した画像測定部と、前記画像測定部から放射線源エネルギーの大きさを示す信号及び放射線源発生位置を示す信号をそれぞれ受信し、これら信号を電気信号に変換して増幅させる信号増幅処理部と、前記生成された前記電気信号を前記信号増幅処理部から受信し、前記放射線源エネルギーの大きさ及び放射線源発生位置に応じて検出モードを選択し、選択した検出モードを示すモード信号を出力するモード選択部と、前記信号増幅処理部から前記放射線源エネルギーの大きさを示す信号、発生時間を示す信号及び前記放射線源発生位置を示す信号、前記モード選択部から送信されたモード信号を一連の項目に応じて保存するデータ保存部と、前記データ保存部に保存されたデータを相互作用方式データに変換するデータ変換部と、前記変換されたデータを３次元分布画像に再構成する画像再構成部と、前記再構成部からの前記３次元分布画像をディスプレイするディスプレイ部とを備える。
【００１０】
前記画像測定部は、Ｎ×Ｍの大きさ（Ｎ、Ｍは自然数）を有する複数の前記位置敏感型検出器で構成され、前記複数の位置敏感型検出器の各々は、互いに異なるチャンネルを用いて前記放射線源位置、到達時間及び前記放射線源エネルギーの大きさを検出することを特徴とする。
【００１１】
前記複数個の位置敏感型検出器の各々は任意の形状に形成され、且つ横の長さ及び縦の長さの大きさがＫである複数の信号電極で構成されることを特徴とする。
前記モード選択部は、各チャンネルによって送信された前記電気信号を同時計数方式で分類することを特徴とする。
【００１２】
前記モード選択部は、各チャンネルによって送信された前記電気信号を二重ガンマ線単一追跡方式で分類することを特徴とする。
前記モード選択部は、各チャンネルによって送信された前記電気信号を同時計数方式／ガンマ線追跡方式で分類することを特徴とする。
【００１３】
前記モード選択部は、各チャンネルによって送信された前記電気信号を二重ガンマ線同時追跡方式で分類することを特徴とする。
前記モード選択部は、各チャンネルによって送信された前記電気信号に同時計数方式、二重ガンマ線単一追跡方式、同時計数方式／ガンマ線追跡方式及び二重ガンマ線同時追跡方式を同時に適用することを特徴とする。
【００１４】
前記課題を解決するための本発明の実施例による放射線源の３次元分布画像処理システムは、放射線源を測定するための多数の位置敏感型検出器を備え、位置敏感型検出器の各々に固有チャンネルを設定した後、前記放射線源を中心に前記多数の位置敏感型検出器を円形に配置した画像測定部と、前記画像測定部から放射線源エネルギーの大きさを示す信号及び放射線源発生位置を示す信号をそれぞれ受信し、これら信号を電気信号に変換して増幅する信号増幅処理部と、前記信号増幅処理部からの生成された前記電気信号を受信し、前記放射線源エネルギーの大きさ及び前記放射線源発生位置に応じて同時計数方式、二重ガンマ線単一追跡方式、同時計数方式／ガンマ線追跡方式及び二重ガンマ線同時追跡方式で分類し、分類した方式を示すモード信号を出力するモード選択部と、前記信号増幅処理部からの前記放射線源エネルギーの大きさを示す及び前記放射線源発生位置を示す信号、前記モード選択部からの前記モード信号を一連の項目に応じて保存するデータ保存部と、前記データ保存部に保存されたデータを相互作用方式データに変換するデータ変換部と、前記変換されたデータを３次元分布画像に再構成する画像再構成部と、前記再構成部からの前記３次元分布画像をディスプレイするディスプレイ部とを備える。
【００１５】
前記課題を解決するための本発明の実施例による放射線源の３次元分布画像処理方法は、放射線源を測定するための多数の位置敏感型検出器の各々に固有チャンネルを設定した後、前記放射線源を中心に前記多数の位置敏感型検出器を円形に配置した画像測定部によってガンマ線を測定する第１工程と、信号増幅処理部によって、前記画像測定部から放射線源エネルギーの大きさを示す信号、到達時間を示す信号及び放射線源発生位置を示す信号をそれぞれ受信し、これら信号を増幅する第２工程と、前記信号増幅処理部によって増幅された画像データを一連の項目に応じてデータ保存部に保存する第３工程と、データ変換部によって、前記信号増幅処理部から受信した前記信号を用いて前記画像データを相互作用方式データに変換する第４工程と、画像再構成部によって、前記変換されたデータを３次元分布画像に再構成する第５工程と、前記画像再構成部から受信した前記３次元分布画像をディスプレイ部でディスプレイする第６工程とを備える。
【発明の効果】
【００１６】
本発明によると、検出効率と画像解像度を阻害する背景要因を効果的に減らし、向上した画像解像度を有する放射線源の３次元分布画像を得ることができ、同時に検出効率が増加するので、患者や生物が検査を受ける測定時間中に受けるストレスを減らす効果を得ることができる。
【図面の簡単な説明】
【００１７】
【図１】本発明の実施例による放射線源の３次元分布画像処理システムを示したブロック図である。
【図２】図１に示された画像測定部を詳細に示した例示図である。
【図３】図１に示された画像測定部で測定される方式（（ａ）同時計数方式、（ｂ）二重ガンマ線単一追跡方式、（ｃ）同時計数方式／ガンマ線追跡方式、（ｄ）二重ガンマ線同時追跡方式）を示した例示図である。
【図４】本発明の実施例による放射線源の３次元分布画像処理方法を示したフローチャートである。
【発明を実施するための形態】
【００１８】
下記では添付した図面を参照して、本発明の実施例を本発明が属する技術分野で通常の知識を有する者が容易に実施できるように詳しく説明する。しかし、本発明は、いろいろと相異した形態で具体化することができ、ここで説明する実施例に限定されない。そして、本発明を明確に説明するために、説明と関係ない部分は、図面から省略し、明細書全体を通じて類似の部分に対しては類似の図面符号を付けた。
【００１９】
明細書全体で、ある部分がある構成要素を「含む」とする時、これは特別に反対する記載がない限り、他の構成要素を除外するのではなく、他の構成要素をさらに含むことができることを意味する。また、明細書に記載した「〜部」、「〜器」などの用語は、少なくとも一つの機能や動作を処理する単位を意味し、このことはハードウェアやソフトウェアまたはハードウェア及びソフトウェアの結合により具体化することができる。
【００２０】
本発明と本発明の動作上の利点及び本発明の実施によって達成される目的を充分に理解するためには、本発明の好ましい実施例を例示する添付図及び図に記載した内容を参照しなければならない。
【００２１】
図１は、本発明の実施例による放射線源の３次元分布画像処理システムを示したブロック図である。
図１に示されたように、前記放射線源の３次元分布画像処理システム１００は、画像測定部１１０、信号増幅処理部１２０、データ保存部１３０、モード選択部１２５、データ変換部１４０、画像再構成部１５０及びディスプレイ部１６０を含む。
【００２２】
前記画像測定部１１０は、放射線源を測定する多数の位置敏感型検出器を備え、位置敏感型検出器の各々に固有チャンネルを設定した後、前記放射線源を中心に前記多数の位置敏感型検出器を円形に配置するように構成され得る。
【００２３】
前記信号増幅処理部１２０は、前記画像測定部１１０から前記放射線源エネルギーの大きさを示す信号、到達時間を示す信号、及び前記放射線源発生位置を示す信号をそれぞれ受信し、これら信号を電気信号に変換して増幅する役割を遂行する。
【００２４】
前記モード選択部１２５は、前記信号増幅処理部１２０から生成された電気信号を受信し、前記電気信号の大きさ及び位置によって検出モード（例えば、同時計数モード、二重ガンマ線単一追跡モード、同時計数方式／ガンマ線追跡モード、二重ガンマ線同時追跡モード）のうちのいずれか一つを選択し、選択した検出モードを示すモード信号を出力することができる。なお、前記モード選択部１２５は、二つ以上の検出モードを一緒に適用したモード信号を出力することもできる。
【００２５】
前記同時計数モードでは、図３の（ａ）を参照すると、陽電子放出核種の陽電子が物質内に吸収されることにより二つの５１１ｋｅＶ放射線対（Ｐａｉｒ）が生成され、生成された放射線は、運動量を保存するために互いに異なる反対方向に同時に放出される。ここで、Ｎ×Ｍの任意の測定部は、放出された放射線が自身に到達する場合、到着信号を生成する。到着信号を知らせる測定部は、放射線源に対して反対方向の２ヶ所であり、２ヶ所を結ぶ直線上に放射線源が位置する。このような放射線対は、多数が発生するので同時に測定された測定部を直線で連結して発生箇所を特定することができる。
【００２６】
二重ガンマ線単一追跡モードでは、図３の（ｂ）を参照すると、放射線対の生成で発生した放射線が高いエネルギーを有するため、測定部の材質とコンプトン散乱、光電効果を通じて二次的に反応して電子と散乱した放射線が発生する。同時に発生した放射線のうちの一つを測定する確率が高く、二つの放射線のうちの一つによる２次的な電子の位置を追跡することにより、放射線の位置が分かる。
【００２７】
同時計数方式／ガンマ線追跡モードでは、図３の（ｃ）を参照すると、放射線対の生成を発生させる放射線源の一部は、放射線対の生成と関係なく別途の放射線を発生させる。ここで、別途の放射線は、測定部で物質とコンプトン散乱、光電効果を通じて二次的に反応して電子と散乱した放射線を発生させる。放射線による２次的な電子の位置を追跡することにより、放射線源の位置が分かる。
【００２８】
二重ガンマ線同時追跡モードでは、図３の（ｄ）を参照すると、同時に放射線対の生成で発生した放射線による２次的な位置を同時追跡することにより、放射線源の位置が分かる。
【００２９】
データ保存部１３０は、前記信号増幅処理部１２０から前記放射線源エネルギーの大きさを示す信号及び前記放射線源発生位置を示す信号をそれぞれ受信し、前記モード選択部１２５からモード信号を受信し、これらの信号をデータベース化して一連の項目に応じて保存する役割を遂行する。
【００３０】
前記データ変換部１４０は、前記データ保存部１３０に保存されたデータを相互作用方式データに変換する役割を遂行する。
前記画像再構成部１５０は、前記相互作用方式データを３次元分布画像に再構成する役割を遂行する。
【００３１】
前記ディスプレイ部１６０は、前記画像再構成部１５０から前記３次元分布画像を受信してディスプレイする役割を遂行する。
図２は、図１に示された画像測定部を詳細に示した例示図である。
【００３２】
より具体的に、図２を参照すると、前記画像測定部１１０は、Ｎ×Ｍの大きさ（Ｎ、Ｍは自然数）を有する複数の前記位置敏感型検出器１０で構成され、前記複数の位置敏感型検出器１０の各々は、互いに異なるチャンネルを有し、前記放射線源（例えば、ガンマ線、ベータ線）の位置及びエネルギーの大きさを検出する。
【００３３】
前記複数の位置敏感型検出器１０の各々は、四角形状（例えば、横、縦の長さがｒ０）に形成され、横の長さ及び縦の長さがＫである複数の信号電極で構成することができる。
図３は、図１に示された画像測定部で測定される方式（（ａ）同時計数方式、（ｂ）二重ガンマ線単一追跡方式、（ｃ）同時計数方式／ガンマ線追跡方式、（ｄ）二重ガンマ線同時追跡方式）を示した例示図である。
【００３４】
図３の（ａ）は、同時計数方式を示した例示図であり、前記同時計数方式（ａ）では、陽電子放出核種の陽電子が物質内に吸収されることにより二つの５１１ｋｅＶ放射線対（Ｐａｉｒ）が生成され、生成された放射線が、運動量を保存するために互いに異なる反対方向に同時に放出される。
【００３５】
ここで、Ｎ×Ｍの任意の測定部（例えば、位置敏感型検出器）は、放出された放射線が自身に到達する場合に信号を生成する。ここで、到着信号を知らせる測定部（例えば、位置敏感型検出器）は、放射線源に対して反対方向の２ヶ所であり、２ヶ所を結んだ直線上に放射線源が位置する。
【００３６】
このような放射線対は、多数発生するので同時に測定された測定部（例えば、位置敏感型検出器）を直線で結ぶことにより前記放射線対が発生した地点を測定する方式を示す。
図３の（ｂ）は、二重ガンマ線単一追跡方式を示した例示図であり、前記二重ガンマ線単一追跡方式（ｂ）では、放射線対の生成で発生した放射線は高いエネルギーを有するため、測定部の物質とコンプトン散乱、光電効果を通じて二次的に反応して電子と散乱した放射線を発生させる。
【００３７】
二重ガンマ線単一追跡方式（ｂ）は、同時に発生した放射線のうちの一つを測定する確率が高く、二つの放射線のうちの一つによる２次的な電子の位置を追跡して放射線の位置を測定する方式である。
【００３８】
図３の（ｃ）は、同時計数方式／ガンマ線追跡方式を示した例示図であり、前記同時計数方式／ガンマ線追跡方式（ｃ）では、放射線対の生成を発生させる放射線源の一部が放射線対の生成と関係なく別途の放射線を発生させる。
【００３９】
ここで、別途の放射線は、測定部で物質とコンプトン散乱、光電効果を通じて二次的に反応して電子と散乱した放射線を発生させる。同時計数方式／ガンマ線追跡方式（ｃ）は、放射線による２次的な電子の位置を追跡して放射線源の位置を測定する方式である。
【００４０】
図３の（ｄ）は、二重ガンマ線同時追跡方式を示した例示図であり、前記二重ガンマ線同時追跡方式（ｄ）は、同時に放射線対の生成で発生した放射線による２次的な電子の位置を同時追跡して放射線源の位置を測定する方式である。
【００４１】
図４は、本発明の実施例による放射線源の３次元分布画像処理方法を示したフローチャートである。
図４に示されたように、前記放射線源の３次元分布画像処理方法は、第１工程（Ｓ１０）〜第６工程（Ｓ６０）を含む。
【００４２】
前記第１工程（Ｓ１０）において、放射線源を測定するための多数の位置敏感型検出器の各々に固有チャンネルを設定した後、前記放射線源を中心に前記多数の位置敏感型検出器を円形に配置した画像測定部によって放射線源を測定する。
【００４３】
前記第２工程（Ｓ２０）において、信号増幅処理部によって前記画像測定部からの前記放射線源エネルギーの大きさを示す信号及び前記放射線源発生位置を示す信号をそれぞれ受信し、これら信号を増幅する。
【００４４】
前記第３工程（Ｓ３０）において、前記信号増幅処理部からの増幅された画像データを一連の項目に応じてデータ保存部に保存する。
前記第４工程（Ｓ４０）において、データ変換部によって前記信号増幅処理部からの前記信号を用いて前記画像データを相互作用方式データに変換する。
【００４５】
前記第５工程（Ｓ５０）において、画像再構成部によって前記変換されたデータを３次元分布画像に再構成する。
前記第６工程（Ｓ６０）において、前記画像再構成部からの前記３次元分布画像をディスプレイ部でディスプレイする。
【００４６】
したがって、本発明は、検出効率と画像解像度を阻害する背景要因を効果的に減らすことにより向上した画像解像度を有する放射線源の３次元分布画像を得ることができ、同時に検出効率が増加するので、測定時間の短縮によって患者や生物が検査中に受けるストレスを減らす効果を得ることができる。
【００４７】
本発明は、上述した特定の好ましい実施例に限定されず、請求範囲で請求する本発明の要旨を逸脱することなしに、当該発明が属する技術分野で通常の知識を有する者なら誰でも多様な変形実施が可能であることはもちろん、そのような変更は、請求範囲の記載範囲内に含まれる。
【符号の説明】
【００４８】
１００：放射線源の３次元分布画像処理システム
１１０：画像測定部
１２０：信号増幅処理部
１２５：モード選択部
１３０：データ保存部
１４０：データ変換部
１５０：画像再構成部
１６０：ディスプレイ部
【図１】
0005281681.tif 000002
【図２】
0005281681.tif 000003
【図３】
0005281681.tif 000004
【図４】
0005281681.tif 000005